(57)【要約】      （修正有）【課題】オートフォーカス可能で、拡大倍率を調整でき、且つそれ自体が照明光源を有し、光源の照明光度を調整できる顕微鏡ヘッド装置を提供する。【解決手段】上の固定ベース、下の固定ベース、モータ、第１のギアを含む制御ユニットと、第１のリミットスイッチ、第２のリミットスイッチ及び光遮断ユニットを含む接続ユニットと、案内管、外部スリーブ、ヘッドスリーブ及び第１のギアと噛み合う第２のギアを含むスリーブユニットと、スリーブユニットの他端に設けられて、照明光源を提供する光源ユニットとを備え、モータが第１のギアを駆動して回転させると、第２のギアを駆動して、外部スリーブ及びヘッドスリーブ上の突出部があいまって、ヘッドスリーブを駆動して案内管内において移動でき、光遮断ユニット及び第１のギアによって第２のギアのシフト距離が分かり、第１のリミットスイッチ及び第２のリミットスイッチが、第２のギアの位置を限定して補正する。【選択図】図１Ａ
0003170046.tif 000002
【実用新案登録請求の範囲】
【請求項１】
上位の固定ベースと、下位の固定ベースと、モータと、第１のギアとを含み、前記モータが前記上位の固定ベースと前記下位の固定ベースとの間に配設されていて、前記第１のギアを駆動して回転させる制御ユニットと、
第１のリミットスイッチと、第２のリミットスイッチと、光遮断ユニットとを含む接続ユニットと、
前記接続ユニットに固設された案内管と、前記案内管に回転可能に覆設された外部スリーブと、前記案内管内に移動可能に配置されたヘッドスリーブと、前記外部スリーブに突設されていて前記第１のギアと噛み合う第２のギアとを有するスリーブユニットと、
前記外部スリーブに接続されて、照明光源を提供する光源ユニットと
を備える、顕微鏡ヘッド装置であって、
前記モータが前記第１のギアを駆動して回転させると、前記第２のギアと連動して回転し、前記外部スリーブ及び前記ヘッドスリーブ上の突出部があいまって、前記案内管内で前記ヘッドスリーブを移動させるとともに、前記光遮断ユニットと前記第１のギアとがあいまって前記第２のギアのシフト距離を検知して、前記第１のリミットスイッチ及び前記第２のリミットスイッチが、前記第２のギアの位置を補正する、顕微鏡ヘッド装置。
【請求項２】
前記スリーブユニットの前記外部スリーブに覆設された透光性マスクを更に備え、前記透光性マスクには前記ヘッドスリーブのヘッドが前記貫通孔を介して前記被測定物を観測できるように貫通孔が形成され、前記ヘッドスリーブは、前記ヘッドとあいまって観測される前記被測定物の画像を拡大した後に取得し出力する画像センサを更に備える、請求項１に記載の顕微鏡ヘッド装置。
【請求項３】
前記制御ユニットは主回路基板を更に有し、前記顕微鏡ヘッド装置は、前記主回路基板に接続された把持部と、前記主回路基板の前記画像センサに電気的に接続され、前記画像センサによって取得された画像を外部の画像再生装置に伝送するデータ伝送線とを更に備える、請求項１に記載の顕微鏡ヘッド装置。
【考案の詳細な説明】
【技術分野】
【０００１】
本考案は、顕微鏡ヘッド装置に関し、特に、ギアの噛み合いによって焦点距離を調整する顕微鏡ヘッド装置に関する。
【背景技術】
【０００２】
現在、手持ち式デジタル顕微装置の工業や商業、医学等の様々な分野への応用がますます広がっていく傾向が明らかになっている。例えば、少なくとも、手持ち式デジタル顕微装置による回路基板のはんだ継手の検査、肌質検査、又は切手鑑賞等の多様な応用が含まれる。
【０００３】
その際、高倍率の顕微拡大動作を行う場合に、手の軽微な振れによって被拡大対象が同期的に揺れ動くことと、観察できる顕微鏡ヘッド部材の範囲内から容易に逸脱することを回避するために、従来の手持ち式デジタル顕微装置は、一般に、前記顕微鏡ヘッド部材の前方に、固定式頂部支持部材（例えば、固定式透明カバー）を更に取り付けて、被拡大対象に押し付けて安定させることによって、手振れによる前記欠点を低下させている。
【０００４】
また、従来の手持ち式デジタル顕微装置において、一般に、「低倍率」と「高倍率」の間で倍率の相互調整動作を行える機能が提供されている。即ち、低倍率範囲とは、例えば、１０〜５０倍の調整範囲であり、高倍率とは、例えば、固定の２００倍である。従って、従来の手持ち式デジタル顕微装置は、前記した１０〜５０倍の低倍率範囲と２００倍の高倍率との間で切り替えて、様々な応用分野に適応させることができる。
【考案の概要】
【考案が解決しようとする課題】
【０００５】
しかしながら、従来の手持ち式デジタル顕微装置では、高倍率の顕微拡大動作を行う場合に、高倍率拡大機能が単一の倍率（例えば、前記に示した２００倍）に限定されるという欠点があるので、１００倍又は１５０倍等の他の高倍率に変えて顕微拡大動作をしようとしても、従来の手持ち式デジタル顕微装置は、いずれもそれに対応する多段式調整構造を提供できない。
【０００６】
また、従来の手持ち式デジタル顕微装置は、前記単一倍率の高倍率拡大機能しか提供しないので、従来の手持ち式デジタル顕微装置が特定の高倍率機能に切り替えられた場合に、前記固定式透明カバーは、垂直方向における単一距離のシフト機能を提供するだけで、手動調整による多段式調整構造を提供することができない。
【課題を解決するための手段】
【０００７】
本考案は、オートフォーカスが可能で、拡大倍率を調整でき、且つそれ自体が照明光源を有し、光源の照明光度を調整できる、顕微鏡ヘッド装置を提供する。
【０００８】
本考案は、制御ユニットと、接続ユニットと、スリーブユニットと、光源ユニットとを備える、顕微鏡ヘッド装置を提供する。制御ユニットは、上の固定ベースと、下の固定ベースと、モータと、第１のギアとを含み、モータは、上の固定ベース及び下の固定ベース中に可動に穿設されて、第１のギアを駆動して回転させ、接続ユニットは、第１のリミットスイッチと、第２のリミットスイッチと光遮断ユニットとを備える。スリーブユニットは、接続ユニットに固設された案内管と、案内管に回転可能に覆設された外部スリーブと、案内管内に可動に穿設されたヘッドスリーブと、外部スリーブに覆設され、第１のギアと噛み合う第２のギアとを有し、光源ユニットは、外部スリーブに接続され、照明光源を提供する。
【０００９】
この装置において、モータが第１のギアを駆動して回転させると、それが第２のギアと連動して、外部スリーブ及びヘッドスリーブ上の突出部があいまって、ヘッドスリーブを駆動して前記案内管内において移動させることができ、且つ光遮断ユニットと第１のギアがあいまって第２のギアのシフト距離が分かり、第１のリミットスイッチ及び第２のリミットスイッチが、第２のギアの位置を限定し補正する。
【００１０】
本考案の一実施例において、前記ヘッドスリーブは、観測される被測定物の画像を拡大するヘッドと、ヘッドとあいまって拡大された画像を取得した後に出力する画像センサとを有する。
【００１１】
本考案の一実施例において、顕微鏡ヘッド装置は、顕微鏡ヘッド装置に覆設された透光性マスクを更に備え、透光性マスクに貫通孔が形成され、これによってヘッドスリーブのヘッドが、貫通孔を介して被測定物を観測できるようになる。
【００１２】
本考案の一実施例において、顕微鏡ヘッド装置は、主回路基板を更に備え、主回路基板に接続された把持部と、主回路基板の画像センサに電気的に接続され、画像センサによって取得された画像を外部の画像再生装置に伝送するデータ伝送線とを更に有する。
【考案の効果】
【００１３】
本考案は、モータで第１のギアを駆動して回転させると、それが第２のギアと連動して、ヘッドスリーブを対応して駆動して案内管内において移動させることができ、更にヘッドスリーブに設けられたヘッドと被測定物との距離を調整することによって、拡大倍率の調整を行うことができる。更に光源ユニットによる照明光度の調整効果を達成して、各種の拡大倍率での画像の解像度を向上させ、その有効な拡大倍率範囲を効果的に広げることができる。
【図面の簡単な説明】
【００１４】
【図１Ａ】本考案に係る顕微鏡ヘッド装置の部品の分解略図である。
【図１Ｂ】図１Ａに実施例に係る顕微鏡ヘッド装置の部品の構造略図である。
【図２】図１の実施例に係るの顕微鏡ヘッド装置の部品のもう１つの構造略図である。
【図３】図１の実施例に係る顕微鏡ヘッド装置の部分構造外形略図である。
【図４】図１の実施例に係る顕微鏡ヘッド装置の構造外形略図である。
【考案を実施するための形態】
【００１５】
本考案の前記特徴及び長所をより分かりやすくするために、以下に、添付図面を参照しながら実施例について詳しく説明する。
【００１６】
図１Ａ、図１Ｂ、図２、図３及び図４を同時に参照すると、図１Ａは、本考案による部品の分解略図である。図１Ｂは、図１の実施例による構造略図である。図２は、図１の実施例によるもう１つの構造略図である。図３は、図１の実施例による部分構造外形略図である。図４は、図１の実施例による構造外形略図である。
図１Ａにおいて、顕微鏡ヘッド装置は、制御ユニット１１０と、接続ユニット１２０と、スリーブユニット１３０と、光源ユニット１４０とを備える。
【００１７】
制御ユニット１１０は、上位の固定ベース１１１と、下位の固定ベース１１２と、モータ１１３と、第１のギア１１４とを含む。モータ１１３は、上位の固定ベース１１１及び下位の固定ベース１１２の間に位置し、第１のギア１１４を駆動して回転させる。接続ユニット１２０は、第１のリミットスイッチ１２１と、第２のリミットスイッチ１２２と、光遮断ユニット１２３とを含む。
【００１８】
スリーブユニット１３０は、接続ユニット１２０に固設された案内管１３１と、案内管１３１に回転可能に覆設された外部スリーブ１３２と、案内管１３１内に可動に穿設されたヘッドスリーブ１３３と、外部スリーブ１３２に覆設され、第１のギア１１４と噛み合う第２のギア１３４とを有する。光源ユニット１４０は、外部スリーブ１３２に接続され、照明光源を提供する。
【００１９】
この装置において、モータ１１３が第１のギア１１４を駆動して回転させると、それが第２のギア１３４が連動して回転することで、外部スリーブ１３２及びヘッドスリーブ１３３上の突出部があいまって、案内管１３１内においてヘッドスリーブ１３３を移動させることができる。且つ光遮断ユニット１２３と第１のギア１１４があいまって、第２のギア１３４のシフト距離が分かり、第１のリミットスイッチ１２１及び第２のリミットスイッチ１２２が、第２のギア１３４の位置を特定して補正する。
【００２０】
本実施例において、ヘッドスリーブは、観測される被測定物の画像を拡大するヘッドと、ヘッドとあいまって拡大された画像を取得した後に出力する画像センサとを有する。
【００２１】
図３及び図４を参照すれば分かるように、顕微鏡ヘッド装置１００は、把持部１０１、透光性マスク１０２及びデータ伝送線１０３を更に備える（図４に示す）。顕微鏡ヘッド装置１００に覆設された透光性マスク１０２には貫通孔が形成されていて、これによってヘッドスリーブ１３３のヘッドが、貫通孔を介して被測定物を観測できるようになっている。
【００２２】
本実施例において、顕微鏡ヘッド装置１００は、主回路基板を更に備える。、把持部１０１が、主回路基板に接続されている。データ伝送線１０３が、主回路基板の画像センサに電気的に接続され、画像センサによって取得された画像を外部の画像再生装置に伝送する。
【００２３】
利用者が拡大倍率を調整するときには、モータ１１３を駆動して第１のギア１１４及び第２のギア１３４を回転させると、外部スリーブ１３２の裏側面に位置する螺旋状の案内部とヘッドスリーブ１３３上の突出部の間の噛み合いがあいまって、ヘッドスリーブ１３３に搭載された観測ユニット及びヘッドが案内管１３１内において移動する。これによって被測定物に対する拡大倍率に応じてヘッドスリーブ１３３のヘッドと被測定物との距離が調整される。また、外部スリーブ１３２が回転すると同時に、光源ユニット１４０が駆動して、光度の大きさを調整する。
【００２４】
以上をまとめると、本考案の顕微鏡ヘッド装置は、つぎの長所を有する。
１．拡大倍率を容易に調整できる。利用者は、モータで第１のギアを回転させ、第１のギアによって第２のギアを駆動して、第２のギア、ヘッドスリーブ、案内管の構造及び三者の間の相互作動によって、ヘッドスリーブと前記被測定物との距離を調整して拡大倍率を変更できるので、使用上相当便利である。
２．照明光度が調整できる。外部スリーブが回転すると同時に、現在検出される拡大倍率によって、最適な照明光度を生じさせることができる。したがって、顕微鏡ヘッド装置で観測される様々な拡大倍率の画像をより鮮明にし、そのカバーできる拡大倍率を効果的に向上させることができる。
【００２５】
以上をまとめると、本考案の顕微鏡ヘッド装置は、モータによって駆動されて第１のギアが回転すると、スリーブユニットの第２のギアに搭載されたヘッドスリーブを駆動して案内管内で移動させ、これによって、ヘッドスリーブと被測定物との距離を調整して、拡大倍率の調整を達成し、また、外部スリーブの回転量（拡大倍率）によって、光源ユニットに、対応する照明光源光度の調整を行わせ、更に、前記光源ユニットが拡大倍率と共に照明光度を調整できるという効果を達成し、それにより様々な拡大倍率での画像解像度を向上させ、その有効な拡大倍率の範囲を効果的に広げることができるので、本考案の目的を確実に達成できる。
【００２６】
本考案を前述の実施例により上記のように開示したが、これは本考案を限定するものではなく、本考案の精神及び範囲から逸脱しない限り、あらゆる当業者が行う変更又は修飾などの同等な置換は、本考案の範囲に含まれる。
【符号の説明】
【００２７】
１００  顕微鏡ヘッド装置
１０１  把持部
１０２  透光性マスク
１０３  データ伝送線
１１０  制御ユニット
１１１  上の固定ベース
１１２  下の固定ベース
１１３  モータ
１１４  第１のギア
１２０  接続ユニット
１２１  第１のリミットスイッチ
１２２  第２のリミットスイッチ
１２３  光遮断ユニット
１３０  スリーブユニット
１３１  案内管
１３２  外部スリーブ
１３３  ヘッドスリーブ
１３４  第２のギア
１４０  光源ユニット
【図１Ａ】
0003170046.tif 000003
【図１Ｂ】
0003170046.tif 000004
【図２】
0003170046.tif 000005
【図３】
0003170046.tif 000006
【図４】
0003170046.tif 000007